(57)【要約】【課題】クランクケースと動力伝達ケースとオイルポンプを備えてなる内燃機関のオイルポンプ取り付け構造において、オイルポンプをクランク軸に近い位置に取り付ける構造を提供して、クランク軸への給油経路を単純化し、更に、異なる車両に上記内燃機関を取り付けた場合にも適するオイルポンプを、容易に取り付けうるよう、汎用性の向上を図ろうとするものである。【解決手段】上記クランクケースは、クランク軸を収容し、上記動力伝達ケースは、上記クランクケースの一側に配置されると共に、且つ上記クランクケースに対する接合面を備え、更に上記接合面にオイルポンプ取り付け部が形成され、上記オイルポンプは、上記オイルポンプ取り付け部に配置され、上記クランクケース内の潤滑を行う。【選択図】          図４
2005351115.tif 000002
【特許請求の範囲】
【請求項１】
クランクケースと動力伝達ケースとオイルポンプを備えてなる内燃機関のオイルポンプ取り付け構造において、
上記クランクケースは、クランク軸を収容し、
上記動力伝達ケースは、上記クランクケースの一側に配置されると共に、且つ上記クランクケースに対する接合面を備え、更に上記接合面にオイルポンプ取り付け部が形成され、
上記オイルポンプは、上記オイルポンプ取り付け部に配置され、上記クランクケース内の潤滑を行うことを特徴とする内燃機関のオイルポンプ取り付け構造。
【請求項２】
上記オイルポンプは、コンロッドの大端部へ向けたオイルジェット噴射部を有することを特徴とする請求項１に記載の内燃機関のオイルポンプ取り付け構造。
【請求項３】
上記オイルポンプは、上記オイルポンプ取り付け部の、クランクケースの内側となる部分に取り付けられることを特徴とする請求項１に記載の内燃機関のオイルポンプ取り付け構造。
【発明の詳細な説明】
【技術分野】
【０００１】
本発明は、内燃機関のオイルポンプ取り付け構造に関するものである。
【背景技術】
【０００２】
従来は、クランクウエイトの回転面内、またはその近くで、クランクウエイトを避けた位置にオイルポンプが設けられていたので、オイルポンプがクランク軸から離れた位置となり、クランク軸への給油経路が複雑であった（例えば、特許文献１参照。）。
【０００３】
また、異なる車両にも適するオイルポンプ交換・取り付けなどの汎用性の向上が難しかった。
【０００４】
【特許文献１】特開２０００−２７４２４１号公報（図２）。
【発明の開示】
【発明が解決しようとする課題】
【０００５】
本発明は、オイルポンプをクランク軸に近い位置に取り付ける構造を提供して、クランク軸への給油経路を単純化し、更に、異なる車両に上記内燃機関を取り付けた場合にも適するオイルポンプを、容易に取り付けうるよう、汎用性の向上を図ろうとするものである。
【課題を解決するための手段】
【０００６】
本発明は上記課題を解決したものであって、請求項１に記載の発明は、クランクケースと動力伝達ケースとオイルポンプを備えてなる内燃機関のオイルポンプ取り付け構造において、上記クランクケースは、クランク軸を収容し、上記動力伝達ケースは、上記クランクケースの一側に配置されると共に、且つ上記クランクケースに対する接合面を備え、更に上記接合面にオイルポンプ取り付け部が形成され、上記オイルポンプは、上記オイルポンプ取り付け部に配置され、上記クランクケース内の潤滑を行うことを特徴とする内燃機関のオイルポンプ取り付け構造に関するものである。
【０００７】
請求項２に記載の発明は、請求項１に記載の内燃機関のオイルポンプ取り付け構造において、上記オイルポンプは、コンロッドの大端部へ向けたオイルジェット噴射部を有することを特徴とするものである。
【０００８】
請求項３に記載の発明は、請求項１に記載の内燃機関のオイルポンプ取り付け構造において、上記オイルポンプは、上記オイルポンプ取り付け部の、クランクケースの内側となる部分に取り付けられることを特徴とするものである。
【発明の効果】
【０００９】
請求項１の発明によって、動力伝達ケースを分離別体化して、製作・組立てを容易化し、且つ潤滑構造を簡単化できる。特にクランク軸にオイルポンプを近づけることができるので、クランクケース、動力伝達ケースを相互に小型化することができる。
【００１０】
請求項２の発明によって、動力伝達ケース側からクランク軸へ、潤滑オイルの供給を容易に行うことができるので、クランク軸への潤滑構造を簡単化できる。
【００１１】
請求項３の発明によって、動力伝達ケースを分離別体にしつつ、潤滑構造を簡単化できる。特にクランクケース構造を小型化することができる。
【発明を実施するための最良の形態】
【００１２】
図１は本発明の一実施形態に関係するペダル付き自動二輪車１の側面図である。ヘッドパイプ２から後方斜め下向きに板金製箱型断面の車体フレーム３が延出している。ヘッドパイプ２にステアリングシャフト４が軸支され、ステアリングシャフト４の上部に左右に展開したハンドル５が設けられ、ステアリングシャフト４から下方へ延出したフロントフォーク６に前輪７が軸支されている。車体フレーム３の後端部に、パイプ製シートポスト８が、その一対の下端部で接続され、同シートポスト８の上端にシート９が設けられている。
【００１３】
車体フレーム３の下部に頭上弁式４ストローク単気筒内燃機関10が搭載固定され、同内燃機関10の前方、且つ車体フレーム３の下部に、人力駆動用ペダル軸11が回転可能に装備されている。内燃機関10の左側面に動力伝達ケース12が固定され、その後端部には、後輪13が回転可能に支持されている。車体フレーム３と内燃機関10と動力伝達ケース12とは相互に固定されている。
【００１４】
動力伝達ケース12の中には、内燃機関10の動力を後輪13に伝達する動力伝達機構14が収納され、動力伝達ケース12の外側には、ペダル踏力を後輪13に伝達するペダル踏力伝達機構15が設けられている。シートポスト８の下部には、燃料タンク16、エアクリーナ17、気化器18が設けられ、シートポスト８の一対のパイプに挟まれた部分は、ヘルメットの置き場所19となっている。なお、26はペダルアーム、27はペダルである。
【００１５】
図２は上記実施形態における内燃機関10と動力伝達ケース12の外観図である。内燃機関10の外観は、クランクケース20、シリンダヘッド21、シリンダヘッドカバー22から構成されている。シリンダ30はクランクケース20内に収納されているので、外部からは見えない。クランクケース20の右側には、発電機収納部23が一体的に設けてある。上記発電機収納部23の外側に発電機カバー24が設けてある。シリンダヘッド21の前面中央部に点火プラグ25が見える。
【００１６】
図３は上記パワーユニットのほぼ水平方向の断面を上から見た図、図４は上記内燃機関の縦断面を左側から見た図、図５は上記内燃機関のシリンダヘッドカバーを取り除き、特にシリンダヘッドの内部を見えるようにした正面図、図６は動力伝達機構14とペダル踏力伝達機構15を示した側面図である。
【００１７】
図３、図４において、内燃機関10の外殻はクランクケース20、シリンダヘッド21、シリンダヘッドカバー22によって構成されている。上記クランクケース20は、ほぼ水平方向に傾斜したシリンダ30を収納すると共に、シリンダ30の下方に、シリンダ軸線方向前方に開口部を有するオイルパン部80が形成され、上記シリンダヘッド21が上記オイルパン部80の開口を覆っている。シリンダ30はシリンダヘッド21にボルト31によって固定されており、シリンダヘッド21はクランクケース20にボルト28で固定されている。したがって、シリンダ30はクランクケース20内にて、シリンダヘッド21に片持ち式にほぼ水平方向に傾斜して保持された状態となっている。上記シリンダヘッド21において、上記クランクケースに対する接合面と上記シリンダに対する接合面とは、同一平面上に形成されている。シリンダ30の外周にはシリンダ軸線に平行な複数のフィン32が設けてある。
【００１８】
図３、図４において、クランクケース20の後部には、クランク軸35がボールベアリング36Ａ、36Ｂを介してクランクケース20に回転可能に保持されている。クランク軸35の左端部を支えるボールベアリング36Ｂは、詳細後述する動力伝達ケース基端部材40を介してクランクケース20に支えられている。クランクピン37にはコンロッド38の大端部が支持され、コンロッド38の小端部はピストン39を支持している。ピストン39は、上記シリンダ30内を摺動可能となっている。クランク軸35に対して車両駆動輪である後輪13は後方に位置し、シリンダ30の軸線は前方へほぼ水平に伸びている。すなわち、後輪13とシリンダ30とは互いに反対方向に位置している。
【００１９】
図４、図５において、シリンダヘッド21の、上記ピストン39に対向する部分に、燃焼室45が形成され、前述の点火プラグ25と共に、吸気弁46と排気弁47が設けてある。シリンダヘッド21の、上記シリンダ30の頂部前方の内部空間には、上記吸気弁46と排気弁47の軸端部が突出し、これらを駆動する動弁機構48が収容されている。この動弁機構48は頭上弁式である。図４、図５に見られるように、動弁機構48には、カム軸49とロッカアーム軸52があり、カム軸49には吸気カム50と排気カム51が設けられ、ロッカアーム軸52には吸気ロッカアーム53と排気ロッカアーム54が設けてある。カム軸49の端部には従動プーリ55が設けられ、クランク軸に設けられた駆動プーリ56との間に歯付きベルト57が巻き掛けられ、クランク軸35によってカム軸49が回転駆動されるようになっている。図４において、60は吸気ポート、図５において61は排気ポートである。
【００２０】
図４において、シリンダヘッドカバー22が上記シリンダヘッド21の頂部にボルト29によって取り付けてあり、シリンダヘッド21の頂部を覆っている。シリンダヘッドカバー22の内部にはブリーザ機構の気液分離室58が形成してある。59は気液分離室58の一方の壁面を構成し、動弁機構48との間を仕切る隔壁である。
【００２１】
図３、図４において、クランクケース20の左面を覆う動力伝達ケース12の基端部材40に、その内側からオイルポンプ70が取り付けてある。オイルポンプ軸71には、従動歯車72が設けられ、クランク軸35に設けられた駆動歯車73と噛合っており、クランク軸35によってオイルポンプ70が駆動されるようになっている。
【００２２】
図４において、クランクケース20の下部にはオイルパン部80が形成され、ストレーナ装着溝81にストレーナ82が装着されている。シリンダヘッド21の、上記オイルパン部80を覆う部分に、油路形成部材83と油路蓋部材84とによって吸入油路85と吐出油路86が形成されている。上記吸入油路85とオイルポンプ70の吸入口74との間には吸入パイプ87が架け渡してあり、上記吐出油路86とオイルポンプ70の吐出口75との間には吐出パイプ88が架け渡してある。上記吸入パイプ87および吐出パイプ88はいずれもシリンダ30の下方に設けてあり、シリンダ30の軸線に沿って配置されている。オイルパン部80に流入し、ストレーナ82を通過して上方へ昇ったオイルは、オイル吸入孔95、吸入油路85、吸入パイプ87を経由してオイルポンプ70に吸入され、オイルポンプ70で加圧されて、吐出パイプ88、吐出油路86を経由して吐出される。
【００２３】
図５において、上記の吐出されたオイルは、上記吐出油路86に続く油路89、90、91、92、93、94を経由して動弁機構48へ噴射される。オイルの通路は、吐出油路86の端部から壁体内油路89によってクランクケース20の端面に設けられた油路90につながり、油路90の端部から壁体内油路91によってシリンダヘッド21の端面に設けられた油路92につながり、壁体内油路93を経てオイル噴射孔94に至る。オイルはオイル噴射孔94から動弁機構48へ噴射される。
【００２４】
図４において、オイルポンプには動力伝達ケース基端部材40への接合面に吐出口75に連なるオイルポンプ内油路76が設けてあり、その端部に連通するオイル噴射孔77が設けてある。加圧されたオイルが、このオイル噴射孔77からコンロッド38の大端部へ向けて噴射され、クランク軸35との間の摺動部が潤滑される。動弁機構48、コンロッド38の大端部、クランク軸35等へ噴射されたオイルは、シリンダヘッド21、クランクケース20内を流下して、オイルパン部80へ落下して溜まり、再びオイルポンプ70に吸入され、加圧されて、循環する。また、シリンダヘッド内でカム軸等の動弁機構がシリンダ軸線より上方に設けてあり、かつシリンダヘッドは車体に搭載した状態で、若干後部が下がっているので、シリンダヘッド内からのオイルの戻りを良好に維持することができる。
【００２５】
図５において、この内燃機関10には、上記吸入パイプ87、吐出パイプ88とほぼ平行に、シリンダヘッド21の前面からクランクケース20の後面に抜ける冷却風通路63が設けてある。この冷却風通路63は、シリンダヘッド部分63Ａとクランクケース部分63Ｂとからなっている。クランクケース部分63Ｂの内面には前後方向に伸びる複数のフィン64が設けてあり、クランクケース内を飛散あるいは流下するオイルを冷却するようになっている。また、図４、図５において、シリンダヘッド21の、上記オイルパン部80を覆う壁体部の前面にもフィン65が設けてあり、クランクケース20の内部および油路の冷却に役立っている。またシリンダヘッドカバー22の前面にもフィン66が設けてあり（図４）、気液分離室58内のオイルの冷却に役立っている。
【００２６】
図３において、クランクケース20の右面には発電機収納部23が設けてあり、発電機68が収納されている。発電機68は、クランクケース20の右側面から外方へ突出したクランク軸35の端部によって回転駆動される。発電機収納部23は、通風隙間を有する発電機カバー24で覆われている。
【００２７】
図３において、動力伝達ケース12は、その基端部材40に順次組み付けられる内側部材41、外側部材42、後部部材43によって形成されている。上記基端部材40は動力伝達ケース12の一部をなすと共に、クランクケース左壁の開口部の蓋を兼ねている。
【００２８】
自動二輪車１には、前から順に、ペダル軸11、クランク軸35、従動軸96、中間軸97、および後車軸98の５本の回転軸が設けてある。ペダル軸11は車体フレーム３に回転可能に支持されている。クランク軸35は、クランクケースの右壁と上記動力伝達ケース12の基端部材40にそれぞれボールベアリング36Ａ、36Ｂを介して回転可能に支持されている。従動軸96、中間軸97、および後車軸98は、何れも動力伝達ケース12の内側部材41と後部部材43とによって回転可能に支持されている。従動軸96と後車軸98はボールベアリングを介して支持されている。
【００２９】
図３および図６において、クランク軸35、従動軸96、中間軸97、および後車軸98は、内燃機関10から後輪13への動力伝達に係る軸である。クランク軸35の左端部にドライブプーリ100が設けられ、従動軸96にドリブンプーリ101が回転自在に設けられ、この両プーリ間に無端状Ｖベルト102が架渡されて、Ｖベルト式無段変速機103が構成されている。図６には、Ｖベルト102の、低変速比の位置と高変速比の位置とが示してある。従動軸96の左端部に設けられた遠心クラッチ104がドリブンプーリ101と従動軸96との間を系脱している。従動軸96に設けられた小径歯車105と中間軸97に設けられた大径歯車106が噛合い、中間軸97に設けられた小径歯車107と後車軸98にワンウエイクラッチ108を介して装着された大径歯車109とが噛合って、減速歯車機構110が構成されている。Ｖベルト無段変速機103と減速歯車機構110とによって、動力伝達機構14が構成されている。動力伝達機構14は動力伝達ケース12に収納されている。上記Ｖベルト102は第１の無端状伝動部材である。
【００３０】
図３において、ペダル軸11の左端部にドライブスプロケット112が取り付けてある。運転者の、ペダル27の踏力は、ペダルアーム26、およびペダル軸11を経て伝達され、ドライブスプロケット112が回転駆動される。後車軸98にワンウエイクラッチ113を介してドリブンスプロケット114が軸支されている。この両スプロケット間に無端状チェーン115が架渡され、ぺダル踏力が無端状チェーン115を介して後輪13に伝達される。後輪13の回転はワンウエイクラッチ113の作用によりペダル27には伝達されない。図６に示されるように、無端状チェーン115には、アイドルプーリ116とテンショナプーリ117の作用によって張力が加えられている。上記各部材によってペダル踏力伝達機構15が構成される。ペダル踏力伝達機構15の無端状チェーン115は上記動力伝達ケース12の外側に配置されている。上記無端状チェーン115は第２の無端状伝動部材である。
【００３１】
図４および図５に見られるように、吸気弁46、排気弁47や、動弁機構48のカム軸49、ロッカアーム軸52等はシリンダ30の軸線方向前方を避けて、上方へ偏移させてある。これによって、シリンダヘッドの軸線に対して動弁機構とは反対側の空間、即ち動弁機構の下側の空間が空く。図４および図６に見られるように、この空き空間部にペダル軸11が設けてある。これによって、ペダル軸をクランク軸に近づけることが出来る。
【００３２】
図７はクランクケース20の正面図、図８はクランクケース20の右面図（図７のＶＩＩＩ矢視図）、図９はクランクケース20の左面図（図７のＩＸ矢視図）、図１０は図７のＸ−Ｘ断面図である。クランクケース20は、前部が開口した有底箱状に形成されている。
【００３３】
図７において、上記前部開口の周囲にはシリンダヘッド21との接合面120が形成され、その面にパッキン溝121が形成され、複数のシリンダヘッド接続用ねじ孔122が設けてある。上記接続面の一部に、前述のクランクケース端面油路90（図５）が穿設してある。クランクケース20内の上半部は、シリンダ収納空間123となっている。
【００３４】
図８において、クランクケース20の右面には発電機収納部23が設けてあり、中央部にクランク軸挿通孔124が設けてある。側面にフィン67が一体に形成してある。上部と下部に、内燃機関10を車体へ取付けるためのボルト挿通孔125が一体に形成してある。
【００３５】
図９において、クランクケース20の左面中央部には大きいクランクケース左壁開口126が設けてある。このクランクケース左壁開口は動力伝達ケース基端部材40によって覆われる部分である。開口126の周囲は上記基端部材接合面127となっており、その周囲には複数の基端部材取り付け用ねじ孔128が設けてある。
【００３６】
図４と図７において、クランクケース20の下部、上記シリンダ収納空間123の下方に、シリンダ軸線方向前方に開口部を有するオイルパン部80が形成されている。この部分は、シリンダヘッド21に覆われて、クランクケース内部を流下した潤滑オイルが溜まるようになっている。オイルパン部80にはストレーナ装着溝81（図７）が形成されており、ここにストレーナ82を嵌め込んだ後、この開口部をシリンダヘッド21で覆うと、図４の状態となる。クランクケース下部中央のオイルパン部隔壁80ａに連通孔80ｂが設けてある。
【００３７】
図７と図１０において、クランクケース20には、前部開口面に直交し、前部から後部へ貫通する冷却風通路63のクランクケース部分63Ｂが設けてある。これは、冷却風通路63のシリンダヘッド部分63Ａと対応する位置にあり、車両走行中に走行風が通過するようになっている。上記冷却風通路63Ｂの内面には複数のフィン64が形成され、クランクケース内部を飛散・流下するオイルの冷却効果の向上が図られている。
【００３８】
図１１はシリンダヘッド21の正面図、図１２は図１１のＸＩ−ＸＩ断面図である。図１１において、上部にはシリンダヘッドカバー接合面129が設けてあり、周囲に複数のシリンダヘッドカバー取り付け用ねじ孔130が設けてある。シリンダヘッド21の、クランクケース20のオイルパン部80を覆う部分には、前述のオイル吸入孔95、吸入油路85、吸入パイプ87への入口87Ａ、吐出パイプ88からの出口88Ａ、吐出油路86、および壁体内油路89が設けてある。シリンダヘッドカバー接合面129には、上記壁体内油路89に連通する壁体内油路91、シリンダヘッド端面油路92、壁体内油路93、およびオイル噴射孔94が穿設されている。中央部に点火プラグ取り付け孔131と排気ポート61が設けてある。下部のクランクケースのオイルパン部を覆う部分の外面には多数のフィン65が設けてあり、その中に冷却風通路のシリンダヘッド部分63Ａが開口している。
【００３９】
図１２において、中央部に燃焼室45と点火プラグ取り付け孔131と吸気弁取り付け部132が見える。また吸気弁取り付け部132から上方へ吸気ポート60が伸びている。燃焼室45の周囲部はシリンダ30の接合面であり、図１２の上下端部はクランクケースへの接合面である。シリンダ30の接合面とクランクケース20への接合面は同一平面を成している。133はロッカーアーム軸支持孔である。
【００４０】
図１３はシリンダ30の縦断面図、図１４は図１３のＸＩＶ矢視図である。シリンダ30はボルト31によってシリンダヘッド21に固定される。シリンダ30の側面には多数のフィン32が設けてあり、クランクケース20内で飛散するオイルによって冷却される。
【００４１】
図１５は動力伝達ケース基端部材40をクランクケース20側から見た平面図である。動力伝達ケース基端部材40は、図３に示されるように、動力伝達ケース12の一部を構成すると共に、図９に示したクランクケース左壁開口126の蓋となっている。図１５の136は、接合部のパッキン溝である。動力伝達ケース基端部材40のクランクケース左壁開口126の蓋となる部分にはクランク軸挿通孔137が設けてあり、図３に示したボールベアリング36Ｂを介してクランク軸35を支える。クランク軸挿通孔137の下方にオイルポンプ取り付け部138が設けてある。図３、図４に示したオイルポンプ70は、クランクケース20の内側となるように取り付けられる。図１５の動力伝達ケース基端部材40の左半部は動力伝達ケース12を構成する部材の取り付け部であり、複数のボルト挿通孔139によって動力伝達ケース12が組み付けられる。
【００４２】
以上に詳述したように、本実施形態においては、
（１）動力伝達ケースを分離別体化して、製作・組立てを容易化し、且つ潤滑構造を簡単化できる。特にクランク軸にオイルポンプを近づけることができるので、クランクケース、動力伝達ケースを相互に小型化することができる。
（２）動力伝達ケース側から、クランク軸のコンロッド大端部、クランクピン部へ、潤滑オイルを直接噴射するので、潤滑オイルの供給を容易に行うことができる、クランク軸への潤滑構造を簡単化できる。
（３）動力伝達ケースを分離別体にしつつ、動力伝達ケースにクランクケースの内側からオイルポンプを取り付けるので、クランクケース内や、クランクケースに連なる各部への潤滑構造を簡単化できる。特にクランクケース構造を小型化することができる。
【図面の簡単な説明】
【００４３】
【図１】本発明の一実施形態に関係するペダル付き自動二輪車１の側面図である。
【図２】上記実施形態における内燃機関10と動力伝達ケース12の外観図である。
【図３】上記パワーユニットのほぼ水平方向の断面を上から見た図である。
【図４】上記内燃機関の縦断面を左側から見た図である。
【図５】上記内燃機関のシリンダヘッドカバーを取り除いた正面図である。
【図６】動力伝達機構14とペダル踏力伝達機構15を示した側面図である。
【図７】クランクケース20の正面図である。
【図８】クランクケース20の右面図（図７のＶＩＩＩ矢視図）である。
【図９】クランクケース20の左面図（図７のＩＸ矢視図）である。
【図１０】図７のＸ−Ｘ断面図である。
【図１１】シリンダヘッド21の正面図である。
【図１２】図１１のＸＩ−ＸＩ断面図である。
【図１３】シリンダ30の縦断面図である。
【図１４】図１３のＸＩＶ矢視図である。
【図１５】動力伝達ケース基端部材40をクランクケース20側から見た平面図である。
【符号の説明】
【００４４】
12…動力伝達ケース、20…クランクケース、35…クランク軸、40…動力伝達ケース基端部材、70…オイルポンプ、76…オイルポンプ内油路、77…オイル噴射孔、78…オイルポンプケース、138…オイルポンプ取り付け部。
【図１】
2005351115.tif 000003
【図２】
2005351115.tif 000004
【図３】
2005351115.tif 000005
【図４】
2005351115.tif 000006
【図５】
2005351115.tif 000007
【図６】
2005351115.tif 000008
【図７】
2005351115.tif 000009
【図８】
2005351115.tif 000010
【図９】
2005351115.tif 000011
【図１０】
2005351115.tif 000012
【図１１】
2005351115.tif 000013
【図１２】
2005351115.tif 000014
【図１３】
2005351115.tif 000015
【図１４】
2005351115.tif 000016
【図１５】
2005351115.tif 000017